(57)【特許請求の範囲】
【請求項１】
被処理体の表面に形成された金属酸化膜を、処理容器内で改質ガスを用いて改質処理する改質方法において、
前記改質ガスは実質的に純粋な酸素ラジカルよりなるガスであると共に、前記前記処理容器内へは、前記改質ガス中よりイオンと電子を除去するためのＯ２ ガスを噴射するようにしたことを特徴とする金属酸化膜の改質方法。
【請求項２】
前記改質処理時の前記被処理体の温度は、室温から前記金属酸化膜の結晶化温度未満の範囲内であることを特徴とする請求項１記載の金属酸化膜の改質方法。
【請求項３】
前記改質処理時の前記被処理体の温度は、前記金属酸化膜の結晶化温度以上であって、改質処理と結晶化処理とを同時に行なうようにしたことを特徴とする請求項１記載の金属酸化膜の改質方法。
【請求項４】
前記改質ガスは、Ｏ２ ガスをプラズマにより励起することにより発生されることを特徴とする請求項１乃至３のいずれか一項に記載の金属酸化膜の改質方法。
【請求項５】
前記Ｏ２ ガス中には、活性化を促進する触媒ガスが添加されていることを特徴とする請求項４記載の金属酸化膜の改質方法。
【請求項６】
前記触媒ガスはＮ２ ガスであることを特徴とする請求項５記載の金属酸化膜の改質方法。
【請求項７】
被処理体の表面に気化状態の金属酸化膜原料と酸化性ガスとを用いて金属酸化膜を形成する成膜工程と、前記被処理体に形成された前記金属酸化膜を、実質的に純粋な酸素ラジカルよりなる改質ガスを用いて改質する改質工程とを同一処理容器内で連続的に行なうと共に、前記改質工程では前記処理容器内へ前記改質ガス中よりイオンと電子を除去するためのＯ２ ガスを噴射するようにしたことを特徴とする金属酸化膜の成膜方法。
【請求項８】
前記成膜工程と前記改質工程とを、この順序で２回以上連続して繰り返し行なうようにしたことを特徴とする請求項７記載の金属酸化膜の成膜方法。
【請求項９】
処理容器内で被処理体の表面に金属酸化膜を形成するに際して、気化状態の金属酸化膜原料と酸化性ガスと実質的に純粋な酸素ラジカルよりなる改質ガスとの存在下の雰囲気中にて前記金属酸化膜を形成することにより成膜処理と改質処理とを同時に行なうと共に、前記処理容器内へ前記改質ガス中よりイオンと電子を除去するためのＯ２ ガスを噴射するようにしたことを特徴とする金属酸化膜の成膜方法。
【請求項１０】
前記金属酸化膜原料は、金属アルコキシドであることを特徴とする請求項７乃至９のいずれか一項に記載の金属酸化膜の成膜方法。
【請求項１１】
前記改質ガスは、Ｏ２ ガスをプラズマにより励起することにより発生されることを特徴とする請求項７乃至１０のいずれか一項に記載の金属酸化膜の改質方法。
【請求項１２】
前記Ｏ２ ガス中には、活性化を促進する触媒ガスが添加されていることを特徴とする請求項１１記載の金属酸化膜の改質方法。
【請求項１３】
前記触媒ガスはＮ２ ガスであることを特徴とする請求項１２記載の金属酸化膜の改質方法。
【請求項１４】
真空引き可能になされた処理容器と、被処理体を支持する載置台と、前記被処理体を加熱する加熱手段と、前記処理容器内へ実質的に純粋な酸素ラジカルよりなる改質ガスを供給する改質ガス供給手段とを備え、
前記改質ガス供給手段は、前記処理容器の側壁に設けた改質ガスノズルを有し、この改質ノズルより前記改質ガスを供給するようにすると共に、前記改質ガスのノズルに並べて、前記改質ノズルより噴射された改質ガス中のイオンと電子を除去するためのＯ２ ガスを噴射するＯ２ ガスノズルを設けるように構成したことを特徴とする熱処理装置。
【請求項１５】
前記処理容器内へ気化状態の金属酸化膜原料と酸化性ガスとを供給する原料ガス供給手段を備えたことを特徴とする請求項１４記載の熱処理装置。
【請求項１６】
前記改質ガス供給手段は、前記処理容器の天井部に設けたシャワーヘッドを有し、このシャワーヘッドより前記改質ガスを供給するようにしたことを特徴とする請求項１４または１５記載の熱処理装置。
【請求項１７】
前記改質ガス供給手段は、Ｏ２ ガスをプラズマにより励起して酸素ラジカルを発生する改質ガス発生器を有しており、前記Ｏ２ ガス中には活性化を促進する触媒ガスが添加されていることを特徴とする請求項１４乃至１６のいずれか一項に記載の熱処理装置。
【請求項１８】
前記触媒ガスはＮ２ ガスであることを特徴とする請求項１７記載の熱処理方法。
【発明の詳細な説明】
【０００１】
【発明の属する技術分野】
本発明は、例えば酸化タンタル等の絶縁膜に適する金属酸化膜の改質方法、金属酸化膜の成膜方法及び熱処理装置に関する。
【０００２】
【従来の技術】
一般に、半導体デバイスを製造するには、半導体ウエハに成膜処理やパターンエッチング処理を繰り返し行なって所望のデバイスを製造するが、中でも成膜技術は半導体デバイスが高密度化、多層化及び高集積化するに伴ってその仕様が年々厳しくなっており、例えばデバイス中のキャパシタの絶縁膜やゲート絶縁膜のように非常に薄い酸化膜などに対しても更なる薄膜化が要求され、これと同時に更に高い絶縁性が要求されている。
【０００３】
これらの絶縁膜としては、シリコン酸化膜やシリコンナイトライド膜等を用いることができるが、最近にあっては、より絶縁特性の良好な材料として、金属酸化膜、例えば酸化タンタル（Ｔａ２ Ｏ５ ）等が用いられる傾向にある。この金属酸化膜は、薄くても信頼性の高い絶縁性を発揮するが、この金属酸化膜の成膜後に、この表面の改質処理を施すことにより、更に絶縁性を向上させることができることが発見され、特開平２−２８３０２２号公報にその技術が開示されている。
【０００４】
この金属酸化膜を形成するには、例えば酸化タンタルを形成する場合を例にとって説明すると、上記公報に開示されているように成膜用の原料として、タンタルの有機化合物である金属アルコキシド（Ｔａ（ＯＣ２ Ｈ５ ）５ ）を用い、これを窒素ガス等でバブリングしながら供給して半導体ウエハを例えば４００℃程度のプロセス温度に維持し、真空雰囲気下でＣＶＤ（Ｃｈｅｍｉｃａｌ  Ｖａｐｏｒ  Ｄｅｐｏｓｉｔｉｏｎ）により酸化タンタル膜（Ｔａ２ Ｏ５ ）を積層させている。
そして、必要に応じて更なる絶縁特性の向上を図る場合には、この半導体ウエハを、オゾンを含む雰囲気中に搬入し、大気圧下でこれに水銀ランプから紫外線（以下、ＵＶとも言う）を照射することにより活性酸素原子を発生させ、この活性酸素原子を用いて上記金属酸化膜中に含まれるＣ−Ｃ結合等の有機不純物を分解して脱離することによって上記酸化タンタル膜を改質し、これにより一層、特性の良好な絶縁膜を得ている。また、この改質処理には、上述のようにＵＶオゾンを用いた改質処理の他に、処理容器内の天井部に高周波によるプラズマ発生機構を設け、ここで発生させた活性種（ラジカル）を真空の処理空間に降下させて、これで酸化タンタル膜を改質するようにした、いわゆるリモートプラズマ改質処理も知られている。
【０００５】
そして、このように改質処理された酸化タンタル膜は、次に、必要に応じてデガス対策等を行なうために高温状態に晒されて結晶化処理が行なわれる場合もある。例えば図１３は絶縁膜の金属酸化膜として酸化タンタルを成膜する従来方法の一例を示しており、まず、成膜装置内において金属酸化膜原料として有機化合物である気化状態の金属アルコキシドとＯ２ ガスを供給してこの真空雰囲気中にて半導体ウエハＷを成膜処理することにより金属酸化膜として所定の厚みの酸化タンタル層（Ｔａ２ Ｏ５ ）２を成膜する（図１３（Ａ）参照）。この時のプロセス温度は、例えば４００℃程度で行なう。
【０００６】
次に、このウエハを改質装置に搬送して図１３（Ｂ）に示すように、ＵＶオゾン処理の場合にはオゾン（Ｏ３ ）の雰囲気下において紫外線ランプによりウエハ表面に紫外線ＵＶを照射することにより、酸化タンタル層２中に含まれる有機不純物のＣ−Ｃ結合やハイドロカーボン等を紫外線のエネルギや活性酸素原子により切断してこれを脱離させ、酸化タンタル層の改質を行なう。この改質処理のプロセス温度は、酸化タンタルの非晶質状態（アモルファス状態）を維持するようにこの結晶化温度以下の温度、例えば４２５℃程度で行なう。この改質処理は、前述のように活性種を用いたリモートプラズマ改質処理により行なう場合もある。このように改質処理が終了したならば、次にこのウエハを熱処理装置に搬送し、図１３（Ｃ）に示すように酸素ガスの存在下において酸化タンタル層２の結晶化温度以上、例えば７００℃以上に加熱し、この酸化タンタル層２を結晶化させる。この結晶化アニールにより、酸化タンタル層２は分子レベルで緻密化されて、且つ面内膜厚も均一化させることができ、絶縁特性の良好な絶縁膜を得ることが可能となる。
【０００７】
【発明が解決しようとする課題】
ところで、上述したような従来の処理方法では、例えば改質処理を例にとると、ＵＶオゾンを用いて酸化タンタル膜を改質した場合には、絶縁特性を更に向上させるなどの膜質特性を改善しようと思っても、膜質特性を十分に改善できない場合があった。
また、改質処理としてリモートプラズマ処理を用いた場合には、発生した活性種のみならず、高エネルギ状態の電子や高エネルギ状態のイオンまでもが処理空間内に流入するので、これが半導体ウエハ表面にダメージを与える場合があり、問題となっていた。
【０００８】
更に、上記処理方法では、酸化タンタル層の層全体を改質するには厚さが大きい程、その処理時間が例えば厚さの２乗で増加するので、膜厚が厚いと処理時間も加速度的に増加する、といった問題があった。また、図１３に示すようにここでは成膜、改質及び結晶化の処理を全て行なうのに３工程必要とし、工程数が多くなるのみならず、各工程に対応した処理装置も必要なことから、その分、設備コストが高騰する、といった問題もあった。
本発明は、以上のような問題点に着目し、これを有効に解決すべく創案されたものである。
本発明の目的は、膜質特性を良好に改善することができる金属酸化膜の改質方法を提供することにある。
本発明の他の目的は、成膜処理と改質処理とを同時に、或いは連続的に同一処理容器内で行なうことができる金属酸化膜の成膜方法を提供することにある。
【０００９】
【課題を解決するための手段】
請求項１に規定する発明は、被処理体の表面に形成された金属酸化膜を、処理容器内で改質ガスを用いて改質処理する改質方法において、前記改質ガスは実質的に純粋な酸素ラジカルよりなるガスであると共に、前記前記処理容器内へは、前記改質ガス中よりイオンと電子を除去するためのＯ２ ガスを噴射するようにしたことを特徴とする金属酸化膜の改質方法である。
このように、改質ガスとして実質的に純粋な酸素ラジカルよりなるガスを用いることにより、低温改質でも例えばリーク電流を大幅に抑制できるなど、膜質特性を大幅に改善することが可能となる。
また、Ｏ２ ガスの噴射により改質ガス中の改質処理に悪影響を及ぼすイオンと電子を除去することができるので、良好な改質処理を行うことが可能となる。
【００１０】
この場合、例えば請求項２に規定するように、前記改質処理時の前記被処理体の温度は、室温から前記金属酸化膜の結晶化温度未満の範囲内となるように設定してもよいし、或いは請求項３に規定するように、前記改質処理時の前記被処理体の温度は、前記金属酸化膜の結晶化温度以上であって、改質処理と結晶化処理とを同時に行なうようにしてもよい。請求項３の場合には、改質処理と結晶化処理とを同時に行なうことができるので、処理時間が少なくなって、その分、スループットを向上できるのみならず、設備コストも削減することが可能となる。
この場合、例えば請求項４に規定するように、前記改質ガスは、Ｏ２ ガスをプラズマにより励起することにより発生される。
また、例えば請求項５に規定するように、前記Ｏ２ ガス中には、活性化を促進する触媒ガスが添加されている。
これによれば、活性化を促進する触媒ガスの作用により酸素ラジカルの濃度を高めることが可能となる。
この場合、請求項６に規定するように、前記触媒ガスはＮ２ ガスである。
【００１１】
請求項７に規定する発明は、被処理体の表面に気化状態の金属酸化膜原料と酸化性ガスとを用いて金属酸化膜を形成する成膜工程と、前記被処理体に形成された前記金属酸化膜を、実質的に純粋な酸素ラジカルよりなる改質ガスを用いて改質する改質工程とを同一処理容器内で連続的に行なうと共に、前記改質工程では前記処理容器内へ前記改質ガス中よりイオンと電子を除去するためのＯ２ ガスを噴射するようにしたことを特徴とする金属酸化膜の成膜方法である。
このように、２つの工程を同時に同一処理容器内で行なうようにしたので、一方の処理工程から他方の処理工程へ移る時に被処理体を搬送する必要がなくなり、その分、処理に要する時間が短くなってスループットを向上させることが可能となる。また、一方の熱処理装置が不要になるので、その分、設備コストを削減することが可能となる。
また、Ｏ２ ガスの噴射により改質ガス中の改質処理に悪影響を及ぼすイオンと電子を除去することができるので、良好な改質処理を行うことが可能となる。
この場合、請求項８に規定するように、前記成膜工程と前記改質工程とを、この順序で２回以上連続して繰り返し行なうようにしてもよい。これによれば、特に、膜厚の厚い金属酸化膜を処理する時に、この処理時間を大幅に短くすることが可能となる。
【００１２】
請求項９に規定する発明は、処理容器内で被処理体の表面に金属酸化膜を形成するに際して、気化状態の金属酸化膜原料と酸化性ガスと実質的に純粋な酸素ラジカルよりなる改質ガスとの存在下の雰囲気中にて前記金属酸化膜を形成することにより成膜処理と改質処理とを同時に行なうと共に、前記処理容器内へ前記改質ガス中よりイオンと電子を除去するためのＯ２ ガスを噴射するようにしたことを特徴とする金属酸化膜の成膜方法である。
これにより、上記成膜処理と改質処理とを同時に行なうようにしたので、処理時間を大幅に短縮してその分、スループットを向上させることが可能となるのみならず、設備コストも削減することが可能となる。
また、Ｏ２ ガスの噴射により改質ガス中の改質処理に悪影響を及ぼすイオンと電子を除去することができるので、良好な改質処理を行うことが可能となる。
例えば請求項１０に規定するように、前記金属酸化膜原料は、金属アルコキシドである。
この場合、例えば請求項１１に規定するように、前記改質ガスは、Ｏ２ ガスをプラズマにより励起することにより発生される。
また、例えば請求項１２に規定するように、前記Ｏ２ ガス中には、活性化を促進する触媒ガスが添加されている。
これによれば、活性化を促進する触媒ガスの作用により酸素ラジカルの濃度を高めることが可能となる。
この場合、請求項１３に規定するように、前記触媒ガスはＮ２ ガスである。
【００１３】
請求項１４に規定する発明は、上記方法発明の一部を実施するための装置発明であり、真空引き可能になされた処理容器と、被処理体を支持する載置台と、前記被処理体を加熱する加熱手段と、前記処理容器内へ実質的に純粋な酸素ラジカルよりなる改質ガスを供給する改質ガス供給手段とを備え、前記改質ガス供給手段は、前記処理容器の側壁に設けた改質ガスノズルを有し、この改質ノズルより前記改質ガスを供給するようにすると共に、前記改質ガスのノズルに並べて、前記改質ノズルより噴射された改質ガス中のイオンと電子を除去するためのＯ２ ガスを噴射するＯ２ ガスノズルを設けるように構成したことを特徴とする熱処理装置である。
これによれば、Ｏ２ ガスの噴射により改質ガス中の改質処理に悪影響を及ぼすイオンと電子を除去することができるので、良好な改質処理を行うことが可能となる。
この場合、請求項１５に規定するように、前記処理容器内へ気化状態の金属酸化膜原料と酸化性ガスとを供給する原料ガス供給手段を備えるようにしてもよい。
或いは、例えば請求項１６に規定するように、前記改質ガス供給手段は、前記処理容器の天井部に設けたシャワーヘッドを有し、このシャワーヘッドより前記改質ガスを供給するようにしている。
また、例えば請求項１７に規定するように、前記改質ガス供給手段は、Ｏ２ ガスをプラズマにより励起して酸素ラジカルを発生する改質ガス発生器を有しており、前記Ｏ２ ガス中には活性化を促進する触媒ガスが添加されているようにしてもよい。
これによれば、活性化を促進する触媒ガスの作用により酸素ラジカルの濃度を高めることが可能となる。
請求項１８に規定するように、前記触媒ガスはＮ２ ガスである。
【００１４】
【発明の実施の形態】
以下に本発明に係る金属酸化膜の改質方法、金属酸化膜の成膜方法及び熱処理装置の一実施例を添付図面に基づいて詳述する。
図１は本発明に係る熱処理装置を含む熱処理システムを示す概略斜視図、図２は成膜処理と改質処理とを行なう本発明の熱処理装置を示す概略構成図、図３は図２に示す熱処理装置の変形例を示す概略構成図、図４は改質処理を行なう本発明の熱処理装置を示す概略構成図である。
図示するように、この熱処理システム４は、被処理体、例えば半導体ウエハＷに対して気化状態の金属酸化膜原料と酸化性ガスの存在下の真空雰囲気中にて非晶質状態の金属酸化膜を形成する成膜装置６と、この金属酸化膜を真空雰囲気下において実質的に純粋な酸素ラジカルよりなる改質ガスに晒すことによって改質する改質処理と、上記したような実質的に純粋な酸素ラジカルよりなる改質ガスの雰囲気下においてウエハを上記金属酸化膜の結晶化温度以上に加熱することによってこれを結晶化させる結晶化処理とを同時に、或いは選択的に行なうことができる改質結晶化用の熱処理装置８と、気化状態の金属酸化膜原料と酸化性ガスと実質的に純粋な酸素ラジカルよりなる改質ガスとを選択的に用いて成膜処理を行なったり、改質処理を行なったり、或いは上記各ガスを同時に用いて成膜処理と改質処理とを同時に行なうことができる成膜改質用の熱処理装置１０と、金属酸化膜を結晶化する結晶化専用の熱処理装置１２と、これらの各装置６、８、１０、１２間と共通に連結されて、真空状態を維持しつつ、各装置間にウエハを選択的に移載する共通搬送装置１４とにより主に構成されている。
【００１５】
更に、ここでは、ウエハの搬入・搬出効率を向上させるために、複数の半導体ウエハを収容可能なカセットＣを収容して真空引き可能になされて上記共通搬送装置１４に連結されたカセット収容室１６Ａ，１６Ｂを有しており、いわゆるクラスタツール化されている。尚、必要ならば、更に処理前のウエハを予備加熱する予備加熱室や処理後のウエハを冷却する冷却室等を設けてもよい。
共通搬送装置１４の一側には、それぞれゲートバルブＧ１，Ｇ２を介して第１のカセット収容室１６Ａ及び第２のカセット収容室１６Ｂがそれぞれ接続されている。これらの両カセット収容室１６Ａ，１６Ｂは、この装置システム全体のウエハ搬出入ポートを構成するものであり、それぞれ昇降及び旋回自在なカセットステージ（図示せず）を備えている。
共通搬送装置１４及び両カセット収容室１６Ａ，１６Ｂは、それぞれ気密構造に構成され、両カセット収容室１６Ａ，１６Ｂには、外部の作業室雰囲気との間を開閉して大気開放可能にそれぞれゲートドアＧ３，Ｇ４が設けられ、開放されたゲートドアＧ３、Ｇ４を介してカセットＣが搬出入される。
【００１６】
共通搬送装置１４内の移載用アーム機構１８は、屈伸及び旋回可能になされた多関節アームよりなり、両カセット収容室１６Ａ，１６Ｂと各装置６、８、１０、１２との間でウエハを移載するものである。
そして、この共通搬送装置１４には、各ゲートバルブＧ５，Ｇ６、Ｇ７、Ｇ８を介してそれぞれ上記各装置６、８、１０、１２が連結されている。
以上説明した上記各装置６、８、１０、１２、１４及びカセット収容室１６Ａ、１６Ｂには、内部に不活性ガス、例えばＮ２ ガスをパージするＮ２ ガス供給系（図示せず）及び内部の雰囲気を真空引きするための真空排気系（図示せず）がそれぞれ接続されており、独立して制御可能になされている。
【００１７】
上記成膜装置６は、本出願人が先の出願（特開平１０−７９３７７号公報）にて開示したものを用いればよい。
上記成膜装置６は、ウエハ表面に非晶質状態の金属酸化膜として、例えば酸化タンタル（Ｔａ２ Ｏ５ ）層をＣＶＤにより成膜するものであり、金属酸化膜原料として有機化合物である液状の金属アルコキシド、例えばＴａ（ＯＣ２ Ｈ５ ）５ ［ＰＥＴ：ペントエトキシタンタル］を例えばＨｅガスでバブリングして供給し、この供給ガスと酸化性ガスであるＯ２ 等との混合ガス雰囲気下にてＣＶＤ成膜反応を行なう。また、酸化性ガスとしては、Ｏ２ の他に、Ｏ３ 、Ｎ２ Ｏ、ＮＯ、ＮＯ２ 、気化状態のアルコール等を用いることができる。
【００１８】
また、結晶化専用の熱処理装置１２は、周知のように真空引き可能になされた処理容器に加熱ヒータ内蔵の載置台を設け、この載置台上に設置したウエハ表面の金属酸化膜を、例えばＯ２ 雰囲気中にて金属酸化膜の結晶化温度以上に加熱して結晶化するものである。
ここでは、成膜改質用の熱処理装置１０と改質結晶化用の熱処理装置８について説明する。また、金属酸化膜として酸化タンタル（Ｔａ２Ｏ５）をＣＶＤにより成膜する場合について説明する。
図２に示すように、この成膜改質用の熱処理装置１０は、装置本体２０と、これに酸化性ガスと成膜ガスとして金属酸化膜原料とを気化状態で供給する原料ガス供給手段２２と、実質的に純粋な酸素ラジカルよりなる改質ガスを供給する改質ガス供給手段２３とにより主に構成される。
【００１９】
この原料ガス供給手段２２は、金属酸化膜の原料として金属酸化膜原料２４、例えば（Ｔａ（ＯＣ２Ｈ５）５）よりなる金属アルコキシドを貯留する密閉状態の原料タンク２６を有しており、このタンク２６には加熱ヒータ２８を設けてこの原料２４を流れ易い温度、例え２０〜５０℃程度に加熱している。また、この原料２４中には、反応促進剤として例えば適量のアルコールが添加されている。
この原料タンク２６の気相部には、加圧管３０の先端が上部より導入されており、この加圧管３０には開閉弁３１が介設されて、加圧気体として例えばＨｅガスを原料タンク２６内の気相部へ導入し得るようになっている。
【００２０】
また、この原料タンク２６と気化手段としての気化器３２の入口との間は例えばステンレス管よりなる原料供給通路３４により連絡され、この気化器３２の出口と上記装置本体２０の天井部を連絡するようにして例えばステンレス管よりなる原料ガス通路３６が設けられている。上記供給通路３４の原料導入口はタンク２６内の液体状の金属酸化膜原料２４中に浸漬させて底部近傍に位置されて、原料２４を通路３４内に加圧搬送し得るようになっている。
この原料供給通路３４は、その途中に開閉弁３８及び液体マスフロー制御器４０を介設して、気化器３２への液体状の原料２４の供給量を制御できるようになっている。
【００２１】
また、気化器３２の直ぐ下流側の原料ガス通路３６には、成膜ガスの供給を遮断する開閉弁４２が設けられる。そして、この気化器３２よりも下流側の原料ガス通路３６には、上記開閉弁４２も含めて例えばテープヒータよりなる保温用ヒータ４１が巻回されており、成膜ガスの液化温度よりも高く、且つ分解温度よりも低い温度、例えば１５０℃〜１８０℃の範囲内で保温するようになっている。
また、上記気化器３２には、気化用ガス導入管４３が接続されており、気化用ガスとして例えばＨｅガスを流量制御器４４により流量制御しつつ供給するようになってる。また、この気化用ガス導入管４３にも途中に開閉弁４６が介設されている。また、原料ガス供給手段２２の一部として、上記装置本体２０の天井部には、酸化性ガス供給通路５０が接続されており、これには例えばマスフローコントローラのような流量制御器５２が介設されて、酸化性ガスとしてここではＯ２ ガスを流量制御しつつ供給できるようになっている。
【００２２】
一方、上記装置本体２０は、例えばアルミニウムにより筒体状に成形された処理容器５４を有している。この処理容器５４の底部５４Ａの中心周辺部には、排気口５６が設けられており、この排気口５６には途中に開閉弁５８と真空ポンプ６０が介設された真空排気系６２が接続されており、容器内部を真空引き可能としている。
この処理容器５４内には、非導電性材料、例えばアルミナ製の円板状の載置台６４が設けられ、この載置台６４上に被処理体として例えば半導体ウエハＷを載置して支持するようになっている。
【００２３】
上記載置台６４には、加熱手段として例えば、ＳｉＣによりコーティングされたカーボン製の抵抗発熱体６６が埋め込まれており、この上面側に載置される半導体ウエハを所望の温度に加熱し得るようになっている。尚、ウエハを加熱する加熱手段として上記抵抗発熱体６６に替え、ハロゲンランプ等の加熱ランプを用いて加熱するようにしてもよい。この載置台６４の上部は、例えばセラミックス製の静電チャック（図示せず）として構成されており、この静電チャックが発生するクーロン力により、この上面にウエハを吸着保持するようになっている。また、この静電チャックに代えてメカニカルクランプを用いるようにしてもよい。
また、処理容器５４の天井部には、シャワーヘッド６８が気密に取り付けられており、上記シャワーヘッド６８は載置台６４の上面の略全面を覆うように対向させて設けられている。このシャワーヘッド６８の導入口には、上記原料ガス通路３６と酸化性ガス供給通路５０の先端が接合されており、処理容器５４内に成膜ガスと酸化性ガスとをシャワー状に選択的に、或いは同時に導入するようになっている。この場合、シャワーヘッド６８の内部構造は、原料ガスとＯ２ ガスとが分離した状態で流れる構造とする。そして、この処理容器５４には、ゲートバルブＧ７を介して真空引き可能になされた共通搬送装置１４が接合されている。
【００２４】
また、上記改質ガス供給手段２３の一部として、上記処理容器５４の側壁には、改質ガスノズル７０が設けられており、これには、改質ガス通路７２が接続されている。この改質ガス通路７２は、改質ガス発生器７４に接続される。この改質ガス発生器７４には、例えば４００ＫＨｚの高周波源７６が設けられると共に、この装置には、例えばマスフローコントローラのような流量制御器７８により流量制御された酸素（Ｏ２ ガス）を導入するようになっており、内部にて上記高周波源７６からの高周波によってプラズマを立て、ここでＯ２ ガスを励起して酸素ラジカル（Ｏ＊）を形成し得るようになっている。ここで必要に応じて例えばＡｒガスをキャリアガスとして用いたり、或いはＮ２ ガスを活性化を促進する触媒ガスとして用いてもよい。そして、ここでは酸素ラジカルの他にエネルギの高い電子やイオンも発生するが、改質ガス発生器７４の内に、またこれを改質ガス通路７２を介して処理容器５４まで搬送する際に、改質ガス通路７２内にて上記電子やイオンがトラップされ、最終的に実質的に純粋な酸素ラジカルよりなる改質ガスを改質ガスノズル７０より処理容器５４内へ導入し得るようになっている。
【００２５】
すなわち、改質ガス発生器７４の内に、または改質ガス発生器７４の出口から改質ガスノズル７０までの改質ガス通路７２の長さは、上記電子やイオンを十分にトラップできるような長さに設定している。また、この通路７２に上記電子やイオンを捕獲するトラップ機構を介設してもよく、これによれば、この通路７２の長さを短くできる。また、ここで載置台６４を回転可能な構造としてもよく、これによれば、改質ガスがウエハ表面に略均等に当たるようになるので、改質処理のウエハ面内均一性を向上させることができる。
尚、上記改質ガスノズル７０に替えて、図３に示すように上記改質ガス通路７２をシャワーヘッド６８に接続し、この改質ガスをシャワーヘッド６８から供給するようにしてもよい。この場合にも、シャワーヘッド６８内では他のガスと分離された状態で流れるような構造とし、処理空間Ｓ内で初めてガスが混合される、いわゆるポストミックス状態で供給する。改質ガスをシャワーヘッド６８から供給するように構成すれば、載置台６４を回転させなくても、改質処理のウエハ面内均一性を向上させることができる。
上記したような改質ガス発生器７４と高周波源７６としては、例えばこれらを一体化したユニットＡＳＴＲＯＮ（商品名）を用いることができる。
一方、改質結晶化用の熱処理装置８は図４に示すように構成されるが、これは図２に示す成膜改質用の熱処理装置１０から酸化性ガス供給系を除く原料ガス供給手段２２を除いた構成と同様になっている。すなわち、図２中の原料ガス通路３６よりも上流側の構成部材を除いた構造と同様に構成されているので、ここでは同一部材に同一参照符号を付してその説明を省略する。また、図５は図４に示す装置における改質ガスノズル７０に替えて、改質ガス通路７２をシャワーヘッド６８に接続し、この改質ガスをシャワーヘッド６８から供給するようにした場合を示している。
【００２６】
次に、以上のように構成された熱処理システム４を用いて行なわれる本発明方法について説明する。
ここでは、金属酸化膜の成膜からこの結晶化に至るまでの経路は、種々の態様を取ることができる。
第１の方法としては、金属酸化膜を成膜した後に、次にこの金属酸化膜を改質処理し、更に、必要な場合にはこの金属酸化膜を結晶化する。この場合、半導体ウエハの移動経路としては成膜装置６から改質結晶化用の熱処理装置８へ移行する第１経路Ｒ１（図１参照）と、成膜改質用の熱処理装置１０から結晶化専用の熱処理装置１２へ移行する第２経路Ｒ２とがある。そして、上記成膜改質用の熱処理装置１０を用いる場合には、ここで成膜処理と改質処理とを所望する回数だけ繰り返し行なう。
【００２７】
第２の方法としては、金属酸化膜の成膜処理と改質処理とを同時に行ない、更に必要な場合にはこの金属酸化膜を結晶化する。この場合、半導体ウエハの移動経路としては、成膜改質用の熱処理装置１０から結晶化専用の熱処理装置１２へ移行する第３経路Ｒ３とがある。尚、上記第２経路Ｒ２と第３経路Ｒ３とは同じ経路である。
まず、図１に基づいて半導体ウエハＷの流れの一例について簡単に説明すると、未処理の半導体ウエハＷは、一方のカセット収容室１６Ａ内に収容され、これに対して処理済みの半導体ウエハＷは他方のカセット収容室１６Ｂ内に収容される。この半導体ウエハＷの移載は、共通搬送装置１４内の移載用アーム機構１８を適宜屈伸及び旋回させることによって行なう。
【００２８】
＜第１の方法の第１経路Ｒ１＞
まず、金属酸化膜の成膜処理と改質処理とを別々に行なう第１の方法の第１経路Ｒ１の場合について図６及び図７も参照して説明する。
図６は成膜、改質及び結晶化の各工程を別々に行なう時（改質と結晶化を同一熱処理装置で行なう）のフローを示す図、図７は改質と結晶化の工程を同時に行なう時のフローを示す図である。
まず、図６に示すように各工程を別々に行なう場合には、図６（Ａ）に示すような未処理の半導体ウエハＷを成膜装置６内へ収容し、ここで図６（Ｂ）に示すように、Ｔａ（ＯＣ２Ｈ５）５とＯ２ とを流す周知の方法を用いて金属酸化膜と   して酸化タンタル（Ｔａ２ Ｏ５ ）層２を堆積させる。尚、この成膜装置６の構造は、図２に示す成膜改質用の熱処理装置１０から改質ガス供給手段２３を取り除いた構造と同じ構造である。
【００２９】
この時の成膜方法は後で成膜改質用の熱処理装置１０を用いて成膜処理のみ行なう時に説明する。
この所定の厚さの酸化タンタル層２が堆積されたウエハＷは次に、改質結晶化用の熱処理装置８へ搬送され、ここで図６（Ｃ）に示すような改質処理と、図６（Ｄ）に示すような結晶化処理とを順次連続して行なう。
まず、改質処理の場合には、図４に示すように、処理容器５４内の載置台６４上に載置した半導体ウエハＷを、室温から酸化タンタル層の結晶化温度未満の範囲内、例えば７００℃未満、好ましくは５００℃以下に設定しておき、改質ガス供給手段２３の改質ガスノズル７０から改質ガスを流量制御しつつ供給し、処理容器５４内を所定の圧力、例えば１３３〜７９８００Ｐａ（１〜６００Ｔｏｒｒ）に真空引きして維持する。これにより、所定の時間だけ改質処理を行なう。そのとき、シャワーヘッド６８からＯ２ を流してもよい。
【００３０】
この時、改質ガス発生器７４では、活性化された酸素ラジカルの他に高いエネルギの電子やイオン等も発生するが、この電子やイオン等は、改質ガス発生器７４内、またはこの改質ガスが改質ガス通路７２を流れる間に通路壁等にてトラップされてしまい、結果的に、改質ガスノズル７０からは、実質的に純粋な酸素ラジカルよりなる改質ガスが処理容器５４内へ導入されることになる。
このため、半導体ウエハＷは、高いエネルギの電子やイオンに起因するダメージを受けることがなく、高い膜質特性の酸化タンタル層を形成することが可能となる。
このように、改質処理が完了したならば、Ｏ２ ガスと改質ガスとを流した状態で、或いは改質ガスの供給を停止してＯ２ ガスを流した状態で、図６（Ｄ）に示すようにウエハ温度を、酸化タンタル層の結晶化温度以上、すなわち７００℃以上、好ましくは８５０℃程度まで昇温し、所定の時間だけ結晶化処理を行なう。
このようにして結晶化処理が完了したならば、この半導体ウエハＷをカセット収容容器１６Ｂへ搬送する。
ここで、上記した本発明方法と従来のＵＶオゾン方法を用いて酸化タンタル層を実際に改質した時の膜質特性について評価を行なったので、その評価結果について説明する。
下記の表１に上記評価結果の一例を示している。
【００３１】
【表１】
0004449226.tif 000002
【００３２】
ここでは、本発明方法と従来方法とでそれぞれ２枚ずつのウエハを処理している。
この表１に示すように、本発明方法の場合には、従来方法の場合よりも膜厚が僅かに薄いにもかかわらず、リーク電流が低くなっており、本発明方法による改質処理の方が、膜質特性が良好であることが判明した。
尚、上記方法では、図６（Ｃ）及び図６（Ｄ）に示すように改質処理と結晶化処理を同一の処理容器内で時間的に連続的に行なっているが、これに限定されず、図７に示すように上記両処理を同時に行なってもよい。図７（Ａ）、（Ｂ）は、図６（Ａ）、（Ｂ）とそれぞれ同じである。ここでは、改質結晶化用の熱処理装置８内で、Ｏ２ ガスと実質的に純粋な酸素ラジカルよりなる改質ガスを流しつつ改質処理と結晶化処理とを同時に行なう。この時のプロセス圧力は１３３〜７９８００Ｐａの範囲内であり、また、ウエハ温度は図６（Ｄ）に示す場合と同じように７００℃以上、好ましくは８５０℃程度に維持する。
この場合には、改質処理が不十分になる恐れがあることから、酸化タンタル層２の膜厚はできるだけ薄い方がよく、例えば８ｎｍ以下が好ましい。この図７に示す方法の場合には、改質処理と結晶化処理とを同時に行なうようにしているので、１工程分の時間を省略でき、その分、スループットを向上させることが可能となる。
【００３３】
＜第１の方法の第２経路Ｒ２＞
次に、金属酸化膜の成膜処理と改質処理とを別々に行なう第１の方法の第２経路Ｒ２の場合について図８及び図９も参照して説明する。
図８は成膜、改質及び結晶化の各工程を別々に行なう時（成膜と改質を同一熱処理装置で行なう）のフローを示す図、図９は成膜と改質の各工程を繰り返し行なう時のフローを示す図である。
【００３４】
まず、図８（Ａ）に示すような未処理の半導体ウエハＷをカセット収容室１６Ａから成膜改質用の熱処理装置１０へ移載し、ここで、図８（Ｂ）に示すような成膜処理と図８（Ｃ）に示すような改質処理とを時間的に連続的に行なう。まず、成膜処理を行なうには、図２に示す装置において、ガス供給系に関しては改質ガス供給手段２３の動作を停止して改質ガスを流さないようにし、この状態で原料ガス供給手段２２のみを稼働状態とする。
すなわち、図２において原料タンク２６内に、流量制御されたＨｅガス等の加圧気体を導入することにより、この圧力で液状のＴａ（ＯＣ２Ｈ５）５よりなる原料２４が液体マスフロー制御器４０により流量制御されつつ原料供給通路３４内を圧送される。この時の原料２４の供給量は、例えば数ｍｇ／ｍｉｎ程度である。また、原料タンク２６内の原料２４は加熱ヒータ２８により暖められて粘性が低下しているので、比較的スムーズに原料供給通路３４内を圧送することができる。圧送された原料は、気化器３２にて例えば２００〜５００ｓｃｃｍ程度に流量制御された、Ｈｅガス等の気化用ガスにより気化されて成膜ガスになって、更に原料ガス通路３６を下流側に流れて行き、処理容器５４のシャワーヘッド６８に導入される。また、これと同時に酸化性ガスとしてＯ２ ガスも例えば１５００ｓｃｃｍ程度導入される。この時、プロセス温度は、例えば２５０〜５００℃程度の範囲内に設定しておく。また、処理容器５４内のプロセス圧力は、例えば１３．３〜数１００Ｐａ（０．１〜数Ｔｏｒｒ）、例えば４００Ｐａ（３．０Ｔｏｒｒ）程度の範囲内に設定しておく。
【００３５】
このようにして、所定の時間の成膜処理を行なって例えば８ｎｍ程度の酸化タンタル層２を形成する。そして、このような成膜処理が完了したならば、図８（Ｃ）に示すように、上記原料ガスであるＴａ（ＯＣ２ Ｈ５ ）５ の供給を停止し、
これに代えて改質ガス供給手段２３を稼働してこの改質ノズル７０から、先に図６（Ｃ）を参照して説明したと同様に実質的に純粋な酸素ラジカルよりなる改質ガスを処理容器５４内へ導入し、所定の時間だけ改質処理を行なう。この際、シャワーヘッド６８からＯ２ ガスを供給してもよい。この改質時のプロセス温度は、前述したと同様に室温〜７００℃未満である。
このように、改質処理が完了したならば、次に、半導体ウエハＷを結晶化専用の熱処理装置１２（図１参照）へ移載し、ここで図８（Ｄ）に示すように酸化タンタル層２の結晶化を行なう。この時のプロセス条件は、図６（Ｄ）を参照して説明したと同様であり、プロセス温度は７００℃以上である。
【００３６】
そして、結晶化処理の完了した半導体ウエハＷはこの熱処理装置１２からカセット収容室１６Ｂへ搬送されることになる。この方法の場合には、成膜改質用の熱処理装置１０内で成膜処理と改質処理とを行なうようにしたので、両処理を別装置で行なった場合と比較してウエハ搬送に要する時間を省略できるので、その分、スループットを向上させることができ、しかも、装置も一台で済むので、その分、設備コストを削減することが可能となる。
また、上記方法では、図８（Ｂ）に示す成膜処理と図８（Ｃ）に示す改質処理とをそれぞれ一回しか行なっていないが、この２つの工程を、図９に示すように成膜→改質→成膜→改質のように２回以上繰り返し行なって、薄い酸化タンタル層２を改質しつつ複数層積層させるようにしてもよい。これによれば、一回の成膜処理で形成した一層の厚い酸化タンタル層を改質する場合と比較して最終的に厚い酸化タンタル層を短時間で改質処理することが可能となり、その分、スループットを向上させることが可能となる。
ここで、上記第１の方法の第１経路Ｒ１と第２経路Ｒ２と従来方法による処理を実際に行ったので、この評価結果について説明する。
従来方法の場合には、オゾン（Ｏ３ ）雰囲気下にて紫外線を照射して改質を行った。上記第１経路Ｒ１の場合には、純粋の酸素ラジカルの雰囲気下（紫外線なし）にて改質処理を行った（Ｔａ膜の成膜処理と改質処理とは互いに異なる処理装置で行う）。第２経路Ｒ２の場合には、Ｔａ膜の成膜処理と改質処理は同一処理装置内で行い、且つ純粋の酸素ラジカル雰囲気下にて改質処理を行った。
評価試験は、１２０℃の温度下にて３．８Ｖの電圧を印加して素子が破壊するまでの時間を求めることによって行った。
破壊時間は、従来方法が６４秒、本発明の第１経路Ｒ１が１８４秒、本発明の第２経路Ｒ２が９７６６秒であった。この結果、本発明方法によれば、破壊時間が格段に延び、特に第２経路Ｒ２の場合には、１００倍以上も寿命を延ばすことができ、非常に優れていることが判明した。このように第２経路Ｒ２の場合に格段に素子寿命を延ばすことができる理由は、ウエハを２ステップで改質処理するため膜中の炭素（Ｃ）抜きなどが特に行われて膜の改質を十分に行なうことができたこと、及びいわゆるインチャンバ（ｉｎ−ｃｈａｍｂｅｒ）で改質するのでウエハを他のチャンバへ搬出することがなく、汚染の可能性が少なくなったこと、等によるものであると考えられる。また、本発明の第１経路Ｒ１の方法が、従来方法よりも寿命を延ばすことができた理由も、純粋の酸素ラジカルによる改質が膜中の炭素抜きなどの膜の改質を十分に行なうことができたこと、等によるものと考えられる。
【００３７】
＜第２の方法の第３経路Ｒ３＞
次に、金属酸化膜の成膜処理と改質処理とを同時に行なう第２の方法の第３経路Ｒ３の場合について図１０も参照して説明する。ここで半導体ウエハの流れに関して、この第３経路Ｒ３は第２経路Ｒ２と同じである。
まず、ここでは図１０（Ａ）に示すような未処理の半導体ウエハＷをカセット収容室１６Ａから成膜改質用の熱処理装置１０内へ移載し、ここで図１０（Ｂ）に示すように成膜処理と改質処理とを時間的に同時に行なう。すなわち、成膜処理しつつ改質処理も同時に行なう。この場合には、図２において、原料ガス供給手段２２と改質ガス供給手段２３とを共に稼働状態とし、処理容器５４内へ、原料ガスであるＴａ（ＯＣ２ Ｈ５ ）５ ガス、Ｏ２ ガス及び実質的に純粋な酸素ラジカルよりなる改質ガスをそれぞれ同時に供給する。この時の原料ガスの供給量及び温度、圧力などのプロセス条件は、図８（Ｂ）に示した成膜処理時と同じであり、また、改質ガスの供給量は図８（Ｃ）に示した改質処理時と同じである。そして、このような成膜と改質の同時処理が終了したならば、図１０（Ｃ）に示すように、結晶化専用の熱処理装置１２にて結晶化処理を行なうようにする。
【００３８】
このように、成膜処理と改質処理とを同時に行なうことにより、処理工程が１工程省略することができるので、その分、スループットを向上できるのみならず、装置も一台で済むので設備コストも削減することが可能となる。
また、改質ガス供給手段２３から処理容器５４内へ噴射される改質ガス中には、酸素ラジカルの他に、改質処理に悪影響を与えるイオンや電子が含まれている場合、この改質ガス中のイオンと電子を取り除くために、噴射された改質ガス中にＯ２ ガスを噴射混入させるようにしてもよい。図１１及び図１２はこのような装置例を示す図である。図１１は図２に示す装置の変形例を示し、図１２は図３に示す装置の変形例を示している。
両装置共に、処理容器７０に設けた改質ガスノズル７０に並ぶようにして、Ｏ２ ガスノズル９０を設けている。そして、このＯ２ ガスノズル９０の噴出方向を上記改質ガスノズル７０の噴出方向に対して交差するように設定しており、処理容器７０内に噴射された改質ガスに対して直ちにＯ２ ガスを接触させて混合し得るようにしている。そして、このＯ２ ガスノズル９０には、上記酸化性ガス供給通路５０に介設した流量制御器５２の出口側から分岐路９２を設け、この分岐路９２と上記分岐点より下流側の酸化性ガス供給通路５０にそれぞれ開閉弁９４、９６を設けている。これにより、少なくとも改質処理時には、このＯ２ ガスノズル９０からＯ２ ガスを噴射して、改質ガス中の電子やイオンを吸着排除し、改質処理の特性を向上させることが可能となる。
尚、ここでは金属酸化膜として酸化タンタルを形成する場合を例にとって説明したが、これに限定されず、バリウムストロンチウムチタン酸塩、すなわち簡単にＢＳＴ（Ｂａ１−ｘ ＳｒｘＴｉＯ３ ）、ストロンチウムチタン酸塩（ＳｒＴｉＯ３ ）、ストロンチウムビスマスタンタル酸塩、すなわち簡単にＳＢＴ、鉛ジルコンチタン酸塩、すなわち簡単にＰＺＴ（Ｐｂ１−ｘ ＺｒｘＴｉＯ３ ）、ＳｒＴｉＯ３ 、ＮＯ、ＯＮＯ、またはその他の誘電物質にも適用できるのは勿論である。
また、ここでは本発明方法の各態様を説明するために、図１に示すような装置構成を例にとって説明したが、必要に応じてこれらの各装置は同種のものが適宜、単数、或いは複数組み合わされるのは勿論である。
【００３９】
【発明の効果】
以上説明したように、本発明の金属酸化膜の改質方法、金属酸化膜の成膜方法及び熱処理装置によれば、次のように優れた作用効果を発揮することができる。  請求項１及び２に係る発明によれば、改質ガスとして実質的に純粋な酸素ラジカルよりなるガスを用いることにより、例えばリーク電流を大幅に抑制できるなど、膜質特性を大幅に改善することができる。
また、Ｏ２ ガスの噴射により改質ガス中の改質処理に悪影響を及ぼすイオンと電子を除去することができるので、良好な改質処理を行うことが可能となる。
請求項３に係る発明によれば、改質処理と結晶化処理とを同時に行なうことができるので、処理時間が少なくなって、その分、スループットを向上できるのみならず、設備コストも削減することができる。
請求項７に係る発明によれば、２つの工程を同時に同一処理容器内で行なうようにしたので、一方の処理工程から他方の処理工程へ移る時に被処理体を搬送する必要がなくなり、その分、処理に要する時間が短くなってスループットを向上させることができる。また、一方の熱処理装置が不要になるので、その分、設備コストを削減することができる。
また、Ｏ２ ガスの噴射により改質ガス中の改質処理に悪影響を及ぼすイオンと電子を除去することができるので、良好な改質処理を行うことが可能となる。
請求項８に係る発明によれば、膜厚の厚い金属酸化膜を処理する時に、この処理時間を大幅に短くすることができる。
請求項９に係る発明によれば、成膜処理と改質処理とを同時に行なうようにしたので、処理時間を大幅に短縮してその分、スループットを向上させることが可能となるのみならず、設備コストも削減することができる。
また、Ｏ２ ガスの噴射により改質ガス中の改質処理に悪影響を及ぼすイオンと電子を除去することができるので、良好な改質処理を行うことが可能となる。
【図面の簡単な説明】
【図１】本発明に係る熱処理装置を含む熱処理システムを示す概略斜視図である。
【図２】成膜処理と改質処理とを行なう本発明の熱処理装置を示す概略構成図である。
【図３】図２に示す熱処理装置の変形例を示す概略構成図である。
【図４】改質処理を行なう本発明の熱処理装置を示す概略構成図である。
【図５】図４に示す熱処理装置の変形例を示す概略構成図である。
【図６】本発明の第１の方法の経路Ｒ１（改質と結晶化を別々）を示すフローである。
【図７】本発明の第１の方法の経路Ｒ１（改質と結晶化を同時）を示すフローである。
【図８】本発明の第１の方法の経路Ｒ２を示すフローである。
【図９】本発明の第１の方法の経路Ｒ２（成膜・改質の繰り返し）を示すフローである。
【図１０】本発明の第２の方法の経路Ｒ３を示すフローである。
【図１１】図２に示す装置の他の変形例を示す図である。
【図１２】図３に示す装置の他の変形例を示す図である。
【図１３】絶縁膜の金属酸化膜として酸化タンタルを成膜する従来方法の一例を示す図である。
【符号の説明】
２  酸化タンタル層（金属酸化膜）
４  熱処理システム
６  成膜装置
８  改質結晶化用の熱処理装置
１０  成膜改質用の熱処理装置
１２  結晶化専用の熱処理装置
２０  装置本体
２２  原料ガス供給手段
２３  改質ガス供給手段
２４  金属酸化膜原料
２６  原料タンク
５０  酸化性ガス供給通路
５４  処理容器
６２  真空排気系
６６  抵抗発熱体（加熱手段）
６８  シャワーヘッド
７０  改質ガスノズル
７４  改質ガス発生器
７６  高周波源
Ｗ  半導体ウエハ（被処理体）
【図１】
0004449226.tif 000003
【図２】
0004449226.tif 000004
【図３】
0004449226.tif 000005
【図４】
0004449226.tif 000006
【図５】
0004449226.tif 000007
【図６】
0004449226.tif 000008
【図７】
0004449226.tif 000009
【図８】
0004449226.tif 000010
【図９】
0004449226.tif 000011
【図１０】
0004449226.tif 000012
【図１１】
0004449226.tif 000013
【図１２】
0004449226.tif 000014
【図１３】
0004449226.tif 000015